(57)【要約】      （修正有）【課題】収納時のコンパクトさと使用時の美観を両立し、展開及び収納が簡単で耐久性の高いかばんを提供する。【解決手段】かばん１の本体部分には、複数の山折り線と谷折り線とからなり、広角を挟んで隣り合う二辺が同一方向への折り線であり、対向する隣り合う二辺がいずれも反対方向への折り線である平行四辺形が複数形成され、かつ前記複数の平行四辺形は各々隣接する平行四辺形と折り線からなる各辺を共有するよう構成されたプリーツパターンによるプリーツ加工を施している。このため容易かつ瞬時に展開及び収納可能であり、かつ余計なシワをつけることがない。【選択図】図５
0003129878.tif 000002
【実用新案登録請求の範囲】
【請求項１】
平面形状の素材を二つ折りにし、折り返し部を底部とし、側方周縁部を縫合して上部に開口部を備えた袋状部材として構成される本体部分と、
両端部が前記本体部分の開口部の縁部に接合された紐状の持ち手部分と
を有する袋であって、
前記本体部分には、プリーツ加工が施されており、
前記プリーツ加工は、複数の山折り線と谷折り線とからなり、
広角を挟んで隣り合う二辺が同一方向への折り線であり、対向する隣り合う二辺がいずれも反対方向への折り線である平行四辺形が複数形成され、かつ前記複数の平行四辺形は各々隣接する平行四辺形と折り線からなる各辺を共有する
ように構成されていること
を特徴とするかばん。
【請求項２】
前記プリーツ加工において、
隣接する平行四辺形と共有する辺以外の辺の長さが互いに異なること
を特徴とする請求項１に記載のかばん。
【請求項３】
収納時にあっては各前記折り線に沿って折りたたまれ、使用時にあっては折り目弾性により前記本体部分の表面に凹凸形状が生じること
を特徴とする請求項１又は請求項２に記載のかばん。
【請求項４】
平面形状の素材を二つ折りにし、折り返し部を底部とし、側方周縁部を縫合して上部に開口部を備えた袋状部材として構成される本体部分と、
両端部が前記本体部分の開口部の縁部に接合された紐状の持ち手部分と
を有するかばんであって、
前記本体部分には三浦折り状のプリーツ加工が施されていること
を特徴とするかばん。
【考案の詳細な説明】
【技術分野】
【０００１】
本考案は、折りたたんで収納が可能であり、使用する際には折り目を展開して使用することができ、かつ当該折り目が美観を奏するかばんに関する。
【背景技術】
【０００２】
物品を持ち運ぶにあたっては、ＴＰＯに応じた種々の工夫を凝らしたかばんが提案されている。
特許文献１には、ワイン専用クーラートートバッグとして、ワイングラス及びワインを安全かつ簡便に携行可能かつ冷却可能なバッグが示されている。
また特許文献２には、トートバッグ等の肩掛けタイプのバッグにおいて、チョコレート、キャンディ等高温で溶けてしまう菓子を良好な状態で保存するバッグが示されている。
【０００３】
【特許文献１】特開２００３−１５３７２１
【特許文献２】特開２００５−１１０８８５
【考案の開示】
【考案が解決しようとする課題】
【０００４】
ところで、これらの特許文献に示されているのはいずれも、何らかの物品を収容して使用している状態、つまり物品を持って出かける場面を前提としたものである。しかし、日常生活においては物品を持って出かけるより、他所から物品を持って帰るにあたってかばんを用いることの方がより頻度が高い。その最たるものとして、例えば日々の日用品の買い物が挙げられる。近時においては、環境保護の観点からスーパーのレジ袋の使用を抑制する風潮があり、買い物かばん持参が励行されていることが多い。
【０００５】
しかし、かっちりとした形状のかばんを持ち運ぶ場合、却ってかばんそれ自体が荷物となり不便である。そこで一般には布製のかばんや袋が用いられることが多い。こうしたかばんや袋にあっては、確かに収納はコンパクトではあるけれども、非使用時には無造作に折りたたまれていることが殆どであり、折りたたむことそれ自体が面倒であるばかりか、いざ使用する段になると折りたたみにより生じたしわによって美観が損なわれてしまっていることが多い。更には、収納の仕方によっては、繰り返し同一の箇所に強く負荷がかかる折り方がされることもあり、かばんを構成する生地の一所に過度の負荷がかかり、生地が傷んでしまうこともあり得る。
【０００６】
或いは、伝統的な収納用具として風呂敷が挙げられるが、その収納の際の結び方の困難さや収納時の折りたたみの面倒さ等から使用を敬遠されがちである。
【０００７】
そこで本考案は、収納時のコンパクトさと使用時の美観とを両立し、展開及び収納が簡単で、かつ耐久性の高いかばんを提供することを課題とする。
【課題を解決するための手段】
【０００８】
上記課題を達成するため、本考案にかかるかばんは、平面形状の素材を二つ折りにし、折り返し部を底部とし、側方周縁部の一部を縫合して上部に開口部を備えた袋状部材として構成される本体部分と、両端部が前記本体部分の開口部の縁部に接合された紐状の持ち手部分とを有するかばんであって、前記本体部分には、プリーツ加工が施されており、前記プリーツ加工は、複数の山折り線と谷折り線とからなり、広角を挟んで隣り合う二辺が同一方向への折り線であり、対向する隣り合う二辺がいずれも反対方向への折り線である平行四辺形が複数形成され、かつ前記複数の平行四辺形は各々隣接する平行四辺形と折り線からなる各辺を共有するように構成されていることを特徴とする（請求項１）。
【０００９】
この考案によれば、収納時にあってはプリーツ加工によって施された各折り線に従って折りたたまれることから、余計な折りシワが生じることが無く、これを展開した際にも美観を損なうことがない。また適当に折りたたまれてしまうことにより特定の部位の生地に過度の負荷が生じてかばんが早く傷んでしまうことを防止できる。却って、プリーツ加工により所定のパターン柄がかばんの本体部分に顕れることとなり、美観の向上に繋がる。そればかりか、プリーツ加工によって得られる折り目が弾性を有し、かばんに収容した物品に対する衝撃が緩和され得るという利点がある。更には、使用時の展開、非使用時の収納も瞬時に行うことができる。
【００１０】
また、本考案にかかるかばんの本体部分に施すプリーツ加工は、隣接する平行四辺形と共有する辺以外の辺の長さが互いに異なるように構成することができる（請求項２）。
【００１１】
これによれば、収納時にあって一定程度のコンパクトさを維持しつつ、折りたたんだ際の厚さが過度になることを回避することができる。また使用時における凹凸が単調なパターンにならず、美観が一層向上する。
【００１２】
更に、本考案にかかるかばんは、収納時にあっては各前記折り線に沿って折りたたまれ、使用時にあっては折り目弾性により前記本体部分の表面に凹凸形状が生じることを特徴とする（請求項３）。
【００１３】
これによれば、使用時における凹凸の形成により、外観的には美観が増し、また収容した物品に対する歩行時の振動の伝達が緩和される。
【００１４】
また、本考案にかかるかばんは、平面形状の素材を二つ折りにし、折り返し部を底部とし、側方周縁部の一部を縫合して上部に開口部を備えた袋状部材として構成される本体部分と、両端部が前記本体部分の開口部の縁部に接合された紐状の持ち手部分とを有するかばんであって、前記本体部分には三浦折り状のプリーツ加工が施されていることを特徴とする（請求項４）。
【００１５】
これによれば、収納時に不要な折り目を生じることがないため、収納時のコンパクトさと使用時の見目良さとを両立しうる。かつ、適当に折りたたまれてしまうことにより特定の部分の生地が早く傷んでしまうことを防止することができる。なお、「三浦折り」とは、三浦公亮氏（東京大学名誉教授）が考案した地図の折り方であり、宇宙実験衛星の太陽電池パネルにも応用されている。
【考案の効果】
【００１６】
以上述べたとおり、本考案によれば、収納時のコンパクトさと使用時の美観とを両立し、展開及び収納が瞬時かつ容易に行うことができ、耐久性の強いかばんを提供することができる。更には、使用時にあっては施された折り線が弾性を有することにより、一定程度の重量の物品を収容しても完全には展開せず、本体部分の表面部に凹凸が残り、一層美観が向上する上、この弾性によりかばん内に収容された物品への衝撃の伝達が緩和される。
【考案を実施するための最良の形態】
【００１７】
本考案を実施するための最良の形態について、図面を用いて以下具体的に説明する。
【００１８】
図１は、本考案の一の実施例であるかばんの収納時における正面図である。かばん１は、本体部分２と持ち手部分３を有する。本体部分２及び持ち手部分３はいずれも布製である。もっとも素材としてはこれに限られず、皮革、ポリエステル等折りたたみ可能なシート状素材であり本考案の効果を損なわない限りにおいて適宜採用することができる。
【００１９】
本体部分２は、一枚のシート状素材を二つ折りにし、併せた側方両端を縫合することで構成される。その折り目により底部１１が構成され、側方両端を縫合することで側方周縁部１２が構成される（縫い目については図示を省略する）。これにより、一枚のシート状素材は、上方に開口部１３を有する袋状部材となる。
【００２０】
もっとも、袋状部材の構成方法としては上記したものに限られず、素材によっては側方両端を縫合ではなく熱融着させても良いし、また二枚の平面形状の素材の周縁部の一部を結合させても良い。要は出来上がる袋状部材が折りたたみ可能な程度の平面形状であれば良い。
【００２１】
持ち手部分３は、本実施例のかばん１の使用状態において使用者が持ち手とする部分である。本実施例では本体部分２と同様、布製の素材により構成され、そ両端部が各々本体部分２の開口部の縁部に適宜接合されている。
【００２２】
図２は、図１におけるＡ−Ａ線での端面を示す図である。プリーツ加工により、かばん１の水平方向においては正面方向から見た山折り線ＦＦと谷折り線ＦＢとが交互に配置されるよう施されている。また、山折り部分から谷折り部分までの長さと、谷折り部分から山折り部分までの長さに違いを設けている。本実施例では略１：２となるように折り目が施されている。そのため収納時にあっても過度に布地がかさばることがなく、収納のしやすさを損なわない。
【００２３】
図３は、本実施例のかばん１の展開状態における正面図であり、図４は本体部分２の折り目を拡大した図である。
【００２４】
上述の通り、本実施例におけるかばん１は平面形状の素材を重ねあわせて構成したものであり、その本体部分２に所定の折り線が生じるようにプリーツ加工を施したものである。図４はその折り線を示す図である。本実施例においては、第一の平行四辺形ＰＬ１、第二の平行四辺形ＰＬ２、第三の平行四辺形ＰＬ３、第四の平行四辺形ＰＬ４の四つの領域が、図示するように垂直方向二つ、水平方向二つの「田」の字を構成するように相互に隣接する。
【００２５】
ここで垂直方向に隣接する各平行四辺形（第一の平行四辺形ＰＬ１と第二の平行四辺形ＰＬ２、及び第三の平行四辺形ＰＬ３と第四の平行四辺形ＰＬ４）は、水平方向の辺の長さが共通し、垂直方向の辺の長さが相違する。一方、水平方向に隣接する各平行四辺形（第一の平行四辺形ＰＬ１と第三の平行四辺形ＰＬ３、及び第二の平行四辺形ＰＬ２と第四の平行四辺形ＰＬ４）は、垂直方向の辺の長さが共通し、水平方向の辺の長さが相違する。
【００２６】
また、各々の平行四辺形は、広角ＷＡを挟んで隣り合う二辺が同一方向の折り線であり、対向する隣り合う二辺がいずれも反対方向への折り線となっている。例えば第一の平行四辺形ＰＬ１は、ＶＬ１１、ＶＬ２１、ＨＬ１１、ＨＬ２１の４本の折り線で構成されているが、広角を挟んで隣り合うＶＬ１１とＨＬ２１はともに山折り線であり、これらに対向するＶＬ２１とＨＬ１１はいずれも谷折り線である。
【００２７】
また、第一の平行四辺形ＰＬ１と垂直方向に隣接する第二の平行四辺形ＰＬ２は、ＶＬ１２、ＶＬ２２、ＨＬ２１、ＨＬ３１の４本の折り線で構成されており、第一の平行四辺形ＰＬ１とＨＬ２１を共有している。
【００２８】
同様に、第一の平行四辺形ＰＬ１と水平方向に隣接する第三の平行四辺形ＰＬ３は、ＶＬ２１、ＶＬ３１、ＨＬ１２、ＨＬ２２の４本の折り線で構成されており、第一の平行四辺形とＶＬ２１を共有している。また第四の平行四辺形ＰＬ４はＶＬ２２、ＶＬ３２、ＨＬ２２、ＨＬ３２の４本の折り線で構成されており、第二の平行四辺形ＰＬ２とＶＬ２２を、第三の平行四辺形ＰＬ３とＨＬ２２を、それぞれ共有している。
【００２９】
ここで、垂直方向の辺ＶＬ１１、ＶＬ２１、ＶＬ３１は当然に同じ長さであり、垂直方向の辺ＶＬ１２、ＶＬ２２、ＶＬ３２も当然に同じ長さである。またＶＬ１１とＶＬ１２、ＶＬ２１とＶＬ２２、ＶＬ３１とＶＬ３２は各々同一直線上となるよう構成されているが、長さの比はおおよそ１：２となるよう構成されている。
【００３０】
一方、水平方向の辺ＨＬ１１、ＨＬ２１、ＨＬ３１は当然に同じ長さであり、水平方向の辺ＨＬ１２、ＨＬ２２、ＨＬ３２も当然に同じ長さである。またＨＬ１１とＨＬ１２、ＨＬ２１とＨＬ２２、ＨＬ３１とＨＬ３２とは、各々の平行四辺形の頂角において当接するが、同一直線状には無く、幾分角度がつけられている。本実施例においては約１５度程度各々上下に傾斜するよう構成されているが、これに限られず、適宜設定することができる。また長さの比はおおよそ１：２となるよう構成されている（図２参照）。
【００３１】
この結果、山折り線（図４における一重線）と谷折り線（図４における二重線）とが交互に配置されたプリーツ加工となり、図１における矢印Ｄ−Ｄ方向、すなわち本体部分２を構成する長方形の対角線方向に伸縮する。従って収納時には各折り線に従って折り畳まれ、コンパクトながらもかさばらない形状が実現される。その上、収納時に徒に折り畳む必要がなくなることから、見た目に美しくない余計なシワがかばんに生じることを防止することができる。また使用時にあっては図１における矢印Ｄに引っ張ることにより極めて簡単かつ瞬時にかばんを展開することができ、収納時にも同様に瞬時に折り線に沿って折り畳むことができる。
【００３２】
また、実際に物品を収容した場合にあっても、プリーツ加工によって施された折り目は完全には展開せず、折り癖として残ることから、本体部分２それ自体が弾性を有する。このため、図５に示すように、本体部分２の表面に凹凸形状が生じることから、かばんの美観向上に繋がるばかりか、外部からの衝撃が緩和され、物品の破損防止に資するという効果がある。
【００３３】
なお、上記において述べた実施例は本考案を実現するにあたっての一つの形態に過ぎず、特に本考案を限定するものではない。また本考案の実施形態に記載された効果は、本考案から生じる最も好適な効果を列挙したに過ぎず、本考案による効果は、本考案の実施形態に記載されたものに限定されるものではない。
【図面の簡単な説明】
【００３４】
【図１】本考案にかかるかばんの収納時における正面図である。
【図２】図１におけるＡ−Ａ端面図である。
【図３】本考案にかかるかばんの展開時における正面図である。
【図４】本考案におけるかばんに施されたプリーツ加工により生じる折り線を示す、本体部分の部分拡大図である。
【図５】本考案にかかるかばんの使用状態における斜視図である。
【符号の説明】
【００３５】
１        かばん
２        本体部分
３        持ち手部分
１１      底部
１２      側方周縁部
１３      開口部
ＦＦ      山折り線
ＦＢ      谷折り線
ＰＬ１    第一の平行四辺形
ＰＬ２    第二の平行四辺形
ＰＬ３    第三の平行四辺形
ＰＬ４    第四の平行四辺形
【図１】
0003129878.tif 000003
【図２】
0003129878.tif 000004
【図３】
0003129878.tif 000005
【図４】
0003129878.tif 000006
【図５】
0003129878.tif 000007